(57)【特許請求の範囲】
【請求項１】
混合槽内に回転自在に配設した混合軸に混合羽根を備えた複数のアームを所定間隔で放射状に取り付ける混合機において、前記アームを混合軸に貫通させてその基端部を締結具により締結して抜け止めすると共に、アームには歯車を装着し、かつ該歯車と噛み合わせてアームの軸回りの回動を阻止する回り止め具を混合軸表面に固着し、混合羽根の羽根角度の調整時には、アームを固定する締結具を取りはずし、アームを少し引き抜いて歯車と回り止め具との噛み合わせを解除してからアームを軸回りに回動させて混合羽根の羽根角度を調整し、羽根角度が決定すると、アームの歯車と回り止め具を噛み合わせるようにしながらアームを挿入し、アームの基端部の締結具により締結して抜け止めするようにしたことを特徴とする混合機。
【発明の詳細な説明】
【技術分野】
【０００１】
本発明は、各種材料を撹拌・混合する混合機に関し、特に混合羽根の羽根角度を的確に調整できる混合機に関する。
【背景技術】
【０００２】
様々な材料を強制的に撹拌・混合する混合機として、混合槽内に回転自在に配設した混合軸に混合羽根を備えた複数のアームを所定間隔で放射状に取り付ける混合機がある。例えば、生コンクリートを製造する混合機では、混合槽内に相反方向に回転する二本の混合軸を平行に配置し、該混合軸に混合羽根を取り付けたアームを所定間隔で軸周方向に少しずつずらして螺旋状に配置し、所定のすくい角、すすめ角を持たせた混合羽根によって材料を上下、左右へ送りながら混合槽内全域に渡って移動させ、そのスクリュー効果と剪断作用により材料を練り混ぜるものがある（特許文献１参照）。
【０００３】
ところで、この種の混合機は、上記の生コンクリート製造用だけでなく、混合容量、混合羽根数、及び混合羽根の配置等を種々変更して様々な材料を混合するのに応用される。
【特許文献１】特開平１１−２２１８１９号公報
【発明の開示】
【発明が解決しようとする課題】
【０００４】
しかしながら、新規な材料を混合するときに開発する混合機においては、スクリュー効果と剪断作用を発揮する混合羽根の角度を実際の混合結果を見ながら適宜調整して最適なものとしたいこともあるが、従来の混合機においては混合羽根の羽根角度を適宜変更することはあまり想定しておらず、的確に角度調整ができるような構造とはなっていない。
【０００５】
本発明は上記の点に鑑み、混合羽根の羽根角度調整を簡単に、かつ的確に行えるようにした混合機を提供することを課題とする。
【課題を解決するための手段】
【０００６】
上記の課題を解決するために、本発明の係る混合機は、混合槽内に回転自在に配設した混合軸に混合羽根を備えた複数のアームを所定間隔で放射状に取り付ける混合機において、前記アームを混合軸に貫通させてその基端部を締結具により締結して抜け止めすると共に、アームには歯車を装着し、かつ該歯車と噛み合わせてアームの軸回りの回動を阻止する回り止め具を混合軸表面に固着し、混合羽根の羽根角度の調整時には、アームを固定する締結具を取りはずし、アームを少し引き抜いて歯車と回り止め具との噛み合わせを解除してからアームを軸回りに回動させて混合羽根の羽根角度を調整し、羽根角度が決定すると、アームの歯車と回り止め具を噛み合わせるようにしながらアームを挿入し、アームの基端部の締結具により締結して抜け止めするようにしたことを特徴としている。
【発明の効果】
【０００７】
本発明に係る混合機によれば、混合槽内に回転自在に配設した混合軸に混合羽根を備えた複数のアームを所定間隔で放射状に取り付ける混合機において、前記アームを混合軸に貫通させてその基端部を締結具により締結して抜け止めすると共に、アームには歯車を装着し、かつ該歯車と噛み合わせてアームの軸回りの回動を阻止する回り止め具を混合軸表面に固着し、混合羽根の羽根角度の調整時には、アームを固定する締結具を取りはずし、アームを少し引き抜いて歯車と回り止め具との噛み合わせを解除してからアームを軸回りに回動させて混合羽根の羽根角度を調整し、羽根角度が決定すると、アームの歯車と回り止め具を噛み合わせるようにしながらアームを挿入し、アームの基端部の締結具により締結して抜け止めするようにしたので、アームに装着した歯車の歯の１ピッチ単位で混合羽根の羽根角度の調整ができ、羽根角度調整が簡単に、かつ的確に行うことができる。
【発明を実施するための最良の形態】
【０００８】
本発明に係る混合機にあっては、混合軸の所定位置に混合羽根を備えたアームを貫通して取り付けるための貫通孔を穿設しておき、またアームには羽根角度位置決め用の歯車を装着すると共に、アームを混合軸に貫通させて取り付けたときに、前記アームの歯車と噛み合わせてアームの軸回りの回動を阻止する回り止め具を混合軸に固着する。
【０００９】
そして、混合羽根を備えたアームの基端部を混合軸の貫通孔に途中まで挿入してから、混合羽根が所望の羽根角度となるようにアームを軸回りに回動して調整し、羽根角度が決定すると、アームの歯車と混合軸に固着した回り止め具とを噛み合わせるようにしながらアームを混合軸の貫通孔に挿入していき貫通させる。そして混合軸の貫通孔から突出したアームの基端部を締結具によって締結して抜け止めを行って取り付けを完了する。
【００１０】
また、混合羽根の羽根角度を変更するときには、アームを固定する締結具を取りはずし、アームを少し引き抜いてアームの歯車と回り止め具との噛み合わせを解除した後、アームを軸回りに適宜回動させて混合羽根の羽根角度を調整し、羽根角度が決定すると前記と同様に、アームの歯車と回り止め具を噛み合わせるようにしながらアームを混合軸の貫通孔に挿入していき貫通させた後、締結具によって締結して抜け止めを行う。
【００１１】
このように、混合羽根を備えたアームに装着した歯車と、混合軸に固着した回り止め具とを噛み合わせてアームの位置決めを行うようにしたので、アームに装着した歯車の歯の１ピッチ単位で混合羽根の羽根角度を調整することが可能となる。
【実施例】
【００１２】
以下、本発明の一実施例を図面に基づいて説明する。
【００１３】
図中の１は、各種混合材料を撹拌・混合する混合機であり、二双の胴より成る混合槽２内に二本の平行な混合軸３、３´を水平に貫通させており、混合槽２に固定した軸受４によって回転自在に支持している。そして、図示しない駆動モータと歯車５とをチェーンにより連結し、駆動モータの駆動によって歯車５を回転させると共に、歯車６、６´の噛み合わせで混合軸３、３´を同調させて回転させている。
【００１４】
前記混合軸３、３´には、混合槽２内壁に沿って回転し、混合槽２内に滞留する混合材料を撹拌・混合する混合羽根７を備えたアーム８を所定間隔で軸周方向に少しずつずらしながら放射状に立設し、混合羽根７によって混合材料を混合軸３、３´の軸線に沿って相反する方向へと送り出しながら混合槽２内を循環させて混合するようにしている。
【００１５】
前記混合羽根７を備えたアーム８は、混合軸３、３´を貫通させてその基端部のねじ部に締結具であるナット９を螺着して抜け止めしている。また、アーム８には歯車１０を装着して固定すると共に、該歯車１０と同一の歯形を形成して歯車１０と噛み合わせてアーム８の回動を阻止する回り止め具１１をボルト１２によって混合軸３、３´に固着している。
【００１６】
次に、上記混合機１の混合羽根７の羽根角度調整について説明する。先ず、混合羽根７を備えたアーム８を固定するナット９を取りはずし、アーム８を少し引き抜いてアーム８の歯車１０と回り止め具１１との噛み合わせを解除した後、アーム８を軸回りに回動させて混合羽根７の羽根角度を調整する。そして、羽根角度が決定すると、アーム８の歯車１０と回り止め具１１を噛み合わせるようにしながらアーム８を挿入していき、混合軸３、３´から突出したアーム８の基端部のねじ部にナット９を螺着して抜け止めする。
【００１７】
このように、混合羽根７を備えたアーム３に装着した歯車１０と、混合軸３、３´に固着した回り止め具１１とを噛み合わせてアーム３の位置決めを行うようにしたので、アーム３に装着した歯車１０の歯の１ピッチ単位で混合羽根７の羽根角度を調整することができ、羽根角度調整が簡単に、かつ的確に行える。
【図面の簡単な説明】
【００１８】
【図１】本発明に係る混合機の一実施例を示す平面図である。
【図２】図１のＡ−Ａ矢視図である。
【図３】アームと混合軸との連結部の拡大図とその平面図である。
【符号の説明】
【００１９】
１…混合機                        ２…混合槽
３、３´…混合軸                  ７…混合羽根
８…アーム                        ９…ナット（締結具）
１０…歯車                        １１…回り止め具
【図１】
0004682047.tif 000002
【図２】
0004682047.tif 000003
【図３】
0004682047.tif 000004